(57)【特許請求の範囲】
【請求項１】
個別のアプリケーションによるサービスをそれぞれ行う複数のサービスサーバと、
前記複数のサービスサーバに対しネットワーク接続を介し共通に設けられた１つの統一サーバと、
対応する前記サービスサーバにネットワーク接続された操作端末と、
前記操作端末に接続され、情報を記憶するＩＣ回路部と情報を送受信するタグアンテナとを備えた無線タグ回路素子を備えた無線タグを作成する無線タグ作成装置と
を有する無線タグ識別情報の管理システムであって、
前記サービスサーバは、
前記無線タグの設置対象の対象物データに対応して前記無線タグに付与されるタグ識別情報としての所定のビット数のタグＩＤの割り当てを新たに要求する割り当て要求信号を、前記統一サーバへ出力する割り当て要求出力手段を備え、
前記統一サーバは、
未作成の前記無線タグに対し割り当て可能な複数の前記タグＩＤを、各タグＩＤに含まれた、前記所定のビット数よりも少ないビット数のタグＩＤ部分を用いて、所定の規則性に沿って検索可能に分類して格納保持したタグＩＤ格納領域、及び、作成済みの前記無線タグに対して割り当てた前記タグＩＤとこのタグＩＤに対応する前記対象物データとの対応付けを記憶する対応付け格納領域を備えた共通データベースと、
前記共通データベースの前記タグＩＤ格納領域から、前記割り当て要求信号に対応した分類の前記タグＩＤを払い出す識別情報払い出し手段と
を備え、
前記無線タグ作成装置は、
タグ媒体に備えられた前記無線タグ回路素子と無線通信するための作成装置アンテナと、
前記統一サーバの前記識別情報払い出し手段で払い出され、前記サービスサーバ及び前記操作端末を介し取得された前記タグＩＤを、前記作成装置アンテナを介し前記対象物データと対応付けられた状態で前記ＩＣ回路部へ書き込む情報書き込み手段とを有する
ことを特徴とする無線タグ識別情報の管理システム。
【請求項２】
前記操作端末は、
前記対象物データを前記サービスサーバへ出力するデータ出力手段を備え、
前記サービスサーバの前記割り当て要求出力手段は、
前記割り当て要求信号とともに、前記データ出力手段からの前記対象物データを、前記統一サーバへ出力し、
前記統一サーバは、
前記割り当て要求信号に応じて前記識別情報払い出し手段が払い出した前記タグＩＤを、前記割り当て要求信号とともに前記サービスサーバから入力された前記対象物データと関連づけ、その関連づけを前記対応付けとして前記対応付け格納領域に格納するデータ格納処理手段を備え、
前記操作端末は、
前記統一サーバの前記識別情報払い出し手段から払い出され、前記サービスサーバを介して取得された前記タグＩＤとともに、無線タグの作成を指示するタグ作成指示信号を前記無線タグ作成装置へ出力する作成指示出力手段を備え、
前記無線タグ作成装置の前記情報書き込み手段は、
前記操作端末の前記作成指示出力手段から前記タグ作成指示信号とともに取得された前記タグＩＤを、前記ＩＣ回路部へ書き込む
ことを特徴とする請求項１記載の無線タグ識別情報の管理システム。
【請求項３】
前記タグＩＤは、前記タグＩＤ部分として、
前記サービスサーバで用いる前記個別のアプリケーションの種別を表す第１部分と、前記操作端末の識別情報を表す第２部分と、前記対象物データの種別を表す第３部分とを含んでおり、
前記共通データベースの前記タグＩＤ格納領域は、
前記複数のタグＩＤを、それぞれに含まれる前記第１部分〜第３部分の内容に応じて検索可能に分類し格納保持し、
前記統一サーバの前記識別情報払い出し手段は、
前記割り当て要求信号に対応した前記個別のアプリケーションの種別、前記操作端末の識別情報、及び前記対象物のデータの種別、に該当する前記タグＩＤを検索して、払い出す
ことを特徴とする請求項２記載の無線タグ識別情報の管理システム。
【請求項４】
作成された前記無線タグに備えられた前記無線タグ回路素子と無線通信するための読み取り装置アンテナと、
前記読み取り装置アンテナを介し、前記無線タグ回路素子の前記ＩＣ回路部から前記タグＩＤを取得する情報読み取り手段と、
前記情報読み取り手段で取得した前記タグＩＤに含まれる前記第１部分〜第３部分のうち少なくとも一部に基づき、前記個別のアプリケーションの種別、前記操作端末の識別情報、及び前記対象物のデータの種別のうち少なくとも一部を表示する種別表示手段と
を有する無線タグ読み取り装置を設けた
ことを特徴とする請求項３記載の無線タグ識別情報の管理システム。
【請求項５】
前記無線タグ読み取り装置は、
前記第１部分〜第３部分を用いた前記タグＩＤの体系的分類情報を前記統一サーバより取得する体系情報取得手段を有し、
前記種別表示手段は、
前記体系情報取得手段で取得した前記体系的分類情報を参照して、前記情報読み取り手段で取得した前記タグＩＤに含まれる前記第１部分〜第３部分のうち、少なくとも一部に基づく前記表示を行う
ことを特徴とする請求項４記載の無線タグ識別情報の管理システム。
【請求項６】
前記無線タグ読み取り装置は、
前記体系的分類情報のバージョン情報を前記統一サーバより取得するバージョン情報取得手段と、
前記バージョン情報取得手段で取得したバージョン情報が、既に前記体系情報取得手段で取得した前記体系的分類情報のバージョンよりも新しかった場合には、最新の前記体系的分類情報の送信を前記統一サーバへ要求する体系情報要求手段と
を有することを特徴とする請求項５記載の無線タグ識別情報の管理システム。
【請求項７】
前記共通データベースは、前記データ形式としてＸＭＬ形式を用いるＸＭＬデータベースである
ことを特徴とする請求項６記載の無線タグ識別情報の管理システム。
【発明の詳細な説明】
【技術分野】
【０００１】
本発明は、無線タグ１つ１つに付与される無線タグ識別情報を一元管理する無線タグ識別情報管理システムに関するものである。
【背景技術】
【０００２】
各種サービスを利用する利用者に対し、タグ識別情報（ＩＤ番号）を備えた無線タグ（ＩＣカード）を発行する従来技術として、特許文献１に記載のものがある。
【０００３】
この従来技術では、利用者に提供する複数のサービスをそれぞれ管理するサービスサーバ（サービス管理装置）として、ポイント管理装置、キャンペーン管理装置、及び販促物提供管理装置が設けられている。また、無線タグの発行を管理するために、利用者管理サーバが設けられている。上記ポイント管理装置、キャンペーン管理装置、販促物管理装置、及び利用者管理サーバは、互いに有線又は無線の通信回線によって接続されている。
【０００４】
ポイント管理装置は、利用者に付与するポイントサービスの管理を行うものであり、このサービスの利用登録を行った利用者のサービス別個人情報とタグ識別情報とを関連づけて、ポイント管理データベースに格納している。キャンペーン管理装置は、利用者に対して実施するキャンペーンサービスの管理を行うものであり、このサービスの利用登録を行った利用者の（キャンペーン対象商品を購入した合計数を示す累積購入数等の）サービス別個人情報とタグ識別情報とを関連づけて、キャンペーン管理データベースに格納している。販促物提供管理装置は、利用者に対して実施する販売促進物提供サービスの管理を行うものであり、このサービスの利用登録を行った利用者のサービス利用履歴などのサービス別個人情報とタグ識別情報とを関連づけて、販促物提供管理データベースに格納している。
【特許文献１】特開２００５−１４９１７４号公報
【発明の開示】
【発明が解決しようとする課題】
【０００５】
上記従来技術においては、利用者登録申請があると、利用者管理サーバは、当該利用者が未登録であることを確認した後に、タグ識別情報を利用者情報と関連づけて利用者管理データベースに登録し、対応する無線タグの発行を行う。そして、上記各サービスの管理装置は、利用者管理サーバが各無線タグに付与したタグ識別情報を利用して各利用者を識別しつつ、個別にサービスを行う。
【０００６】
ここで、一般に、無線タグを利用したアプリケーションにおいて無線タグを発行する際には、発行された無線タグに用いるタグ識別情報に対応付けられる（いわゆる紐づけられる）情報（上記の例では３種類の利用者別サービス情報）を、対応する各データベースに登録する。ここで、上記の利用者管理サーバは、各サービスを利用する利用者に対し共通に設けられており、無線タグ発行作業を一元的に管理している。しかしながら、この発行の際、タグ識別情報については、発行する時点で取得できた適宜の値をそのまま使用しており、上記利用者別サービス情報の種類ごとに系統立てて異なるタグ識別情報を使用する、等とはなっていない。もし、タグ識別情報自体を所定の規則性に沿って体系的に分類可能に構築して使用する（上記の例では利用者の利用するサービスが明確となるように法則性を持って体系づける）ようにすれば、無線タグの読み取り後にタグ識別情報をキーにデータベースへアクセスして利用者別サービス情報そのものを取得しなくても、タグ識別情報の構成そのものから、ある程度、記憶データ内容（利用者のサービス内容）を推定可能となる。この結果、無線タグへの読み取り後に各種処理を行う際、処理手順の簡素化や処理の迅速化を図れ、便利になるはずである。しかしながら、上記従来技術ではこのような点について特に配慮されていなかった。
【０００７】
本発明の目的は、タグ識別情報を体系的に分類可能に構築することで、タグ識別情報の構成そのものから記憶データ内容を推定可能とし、利用者の利便性を向上できる無線タグ識別情報の管理システムを提供することにある。
【課題を解決するための手段】
【０００８】
上記目的を達成するために、第１の発明は、個別のアプリケーションによるサービスをそれぞれ行う複数のサービスサーバと、前記複数のサービスサーバに対しネットワーク接続を介し共通に設けられた１つの統一サーバと、対応する前記サービスサーバにネットワーク接続された操作端末と、前記操作端末に接続され、情報を記憶するＩＣ回路部と情報を送受信するタグアンテナとを備えた無線タグ回路素子を備えた無線タグを作成する無線タグ作成装置とを有する無線タグ識別情報の管理システムであって、前記サービスサーバは、前記無線タグの設置対象の対象物データに対応して前記無線タグに付与されるタグ識別情報としての所定のビット数のタグＩＤの割り当てを新たに要求する割り当て要求信号を、前記統一サーバへ出力する割り当て要求出力手段を備え、前記統一サーバは、未作成の前記無線タグに対し割り当て可能な複数の前記タグＩＤを、各タグＩＤに含まれた、前記所定のビット数よりも少ないビット数のタグＩＤ部分を用いて、所定の規則性に沿って検索可能に分類して格納保持したタグＩＤ格納領域、及び、作成済みの前記無線タグに対して割り当てた前記タグＩＤとこのタグＩＤに対応する前記対象物データとの対応付けを記憶する対応付け格納領域を備えた共通データベースと、前記共通データベースの前記タグＩＤ格納領域から、前記割り当て要求信号に対応した分類の前記タグＩＤを払い出す識別情報払い出し手段とを備え、前記無線タグ作成装置は、タグ媒体に備えられた前記無線タグ回路素子と無線通信するための作成装置アンテナと、前記統一サーバの前記識別情報払い出し手段で払い出され、前記サービスサーバ及び前記操作端末を介し取得された前記タグＩＤを、前記作成装置アンテナを介し前記対象物データと対応付けられた状態で前記ＩＣ回路部へ書き込む情報書き込み手段とを有することを特徴とする。
【０００９】
無線タグ作成装置は、作成装置アンテナを介してタグＩＤをＩＣ回路部に書き込み、無線タグを作成する。本願第１発明においては、無線タグ作成の際に用いるタグＩＤを、共通データベースにて一括管理する。すなわち、無線タグ作成装置に接続された操作端末が、サービスサーバにネットワーク接続されており、複数のサービスサーバに対して共通に１つの統一サーバが設けられている。そして、この統一サーバに共通データベースが設けられ、この共通データベースにタグＩＤ格納領域と対応付け格納領域とが設けられる。無線タグ作成の際には、サービスサーバの割り当て要求出力手段からの割り当て要求信号に応じ、共通データベースのタグＩＤ格納領域に格納されたタグＩＤが識別情報払い出し手段から未作成の無線タグ用に払い出され、サービスサーバ及び操作端末を介して無線タグ作成装置に付与される。そして、無線タグ作成装置の情報書き込み手段は、その与えられたタグＩＤを対象物データと対応付けられた状態でＩＣ回路部に書き込む。
【００１０】
このようにして、無線タグ作成時に順次割り当てることを前提に、タグＩＤ自体を所定の規則性に沿って検索可能に分類可能に構築し、共通データベースで一括管理する。これにより、無線タグに対し読み取りを行ってタグＩＤを取得した際、タグＩＤと対象物データとの対応付けをキーとして当該タグ種別情報に対応する対象物データを取得しなくても、タグＩＤの構成そのもの、具体的には、所定ビット数の各タグＩＤに含まれるタグＩＤ部分から、ある程度、設置対象となる対象物データ内容を推定可能となる。したがって、無線タグへの読み取りに基づく各種の情報処理を行う際、処理手順の簡素化や処理の迅速化を図ることができる。この結果、利用者の利便性を向上することができる。
【００１１】
第２発明は、上記第１発明において、前記操作端末は、前記対象物データを前記サービスサーバへ出力するデータ出力手段を備え、前記サービスサーバの前記割り当て要求出力手段は、前記割り当て要求信号とともに、前記データ出力手段からの前記対象物データを、前記統一サーバへ出力し、前記統一サーバは、前記割り当て要求信号に応じて前記識別情報払い出し手段が払い出した前記タグＩＤを、前記割り当て要求信号とともに前記サービスサーバから入力された前記対象物データと関連づけ、その関連づけを前記対応付けとして前記対応付け格納領域に格納するデータ格納処理手段を備え、前記操作端末は、前記統一サーバの前記識別情報払い出し手段から払い出され、前記サービスサーバを介して取得された前記タグＩＤとともに、無線タグの作成を指示するタグ作成指示信号を前記無線タグ作成装置へ出力する作成指示出力手段を備え、前記無線タグ作成装置の前記情報書き込み手段は、前記操作端末の前記作成指示出力手段から前記タグ作成指示信号とともに取得された前記タグＩＤを、前記ＩＣ回路部へ書き込むことを特徴とする。
【００１２】
サービスサーバの割り当て要求出力手段が、割り当て要求信号のみならず対象物データを統一サーバへ出力することにより、統一サーバは、割り当て要求信号の入力時に確実に対象物データを取得して保持することができる。この結果、割り当て要求信号に応じて識別情報払い出し手段から払い出されたタグＩＤに対し、その保持した対象物データを迅速かつ確実に関連づけることができる。またこのように対象物データの取得タイミングとタグＩＤの取得タイミングとが近接し密接な関連性を持たせやすいことから、対象物タグの分類等に応じて識別情報を容易に検索可能に分類することが可能となる。
【００１３】
第３発明は、上記第２発明において、前記タグＩＤは、前記タグＩＤ部分として、前記サービスサーバで用いる前記個別のアプリケーションの種別を表す第１部分と、前記操作端末の識別情報を表す第２部分と、前記対象物データの種別を表す第３部分とを含んでおり、前記共通データベースの前記タグＩＤ格納領域は、前記複数のタグＩＤを、それぞれに含まれる前記第１部分〜第３部分の内容に応じて検索可能に分類し格納保持し、前記統一サーバの前記識別情報払い出し手段は、前記割り当て要求信号に対応した前記個別のアプリケーションの種別、前記操作端末の識別情報、及び前記対象物データの種別、に該当する前記タグＩＤを検索して、払い出すことを特徴とする。
【００１４】
本願第３発明においては、タグＩＤは、前記タグＩＤ部分としての第１部分〜第３部分の内容によって検索可能に分類可能に構築され、割り当て要求信号に対応した分類で払い出されたタグＩＤを用いて無線タグが作成される。これにより、無線タグに対し読み取りを行ってタグＩＤを取得した際、相関に基づき当該タグ種別情報に対応する記憶対象のデータを取得しなくても、タグＩＤの構成そのものから、ある程度、記憶対象のデータ内容を推定可能となる。
【００１５】
第４発明は、上記第３発明において、作成された前記無線タグに備えられた前記無線タグ回路素子と無線通信するための読み取り装置アンテナと、前記読み取り装置アンテナを介し、前記無線タグ回路素子の前記ＩＣ回路部から前記タグＩＤを取得する情報読み取り手段と、前記情報読み取り手段で取得した前記タグＩＤに含まれる前記第１部分〜第３部分のうち少なくとも一部に基づき、前記個別のアプリケーションの種別、前記操作端末の識別情報、及び前記対象物のデータの種別のうち少なくとも一部を表示する種別表示手段とを有する無線タグ読み取り装置を設けたことを特徴とする。
【００１６】
無線タグ読み取り装置において、情報読み取り手段が読み取り装置アンテナを介し無線タグ回路素子のＩＣ回路部からタグＩＤを取得する。このとき、タグＩＤは、第１部分〜第３部分の内容によって検索可能に分類可能に構成されている。これに応じて、種別表示手段が、それら第１部分〜第３部分の一部又は全部に基づき、個別のアプリケーションの種別、操作端末の識別情報、記憶対象のデータの種別等を表示する。このようにして、相関に基づきタグ種別情報に対応する記憶対象のデータを取得しなくても、タグＩＤの構成そのものから、ある程度、記憶対象のデータ内容を推定することができる。
【００１７】
第５発明は、上記第４発明において、前記無線タグ読み取り装置は、前記第１部分〜第３部分を用いた前記タグＩＤの体系的分類情報を前記統一サーバより取得する体系情報取得手段を有し、前記種別表示手段は、前記体系情報取得手段で取得した前記体系的分類情報を参照して、前記情報読み取り手段で取得した前記タグＩＤに含まれる前記第１部分〜第３部分のうち、少なくとも一部に基づく前記表示を行うことを特徴とする。
【００１８】
統一サーバの共通データベース側で定められたタグＩＤの体系的分類情報を、無線タグ読み取り装置の体系情報取得手段で取得する。これにより、その取得した体系的分類情報に沿って、情報読み取り手段で取得したタグＩＤの第１部分〜第３部分等を解析し、種別表示手段で表示することができる。
【００１９】
第６発明は、上記第５発明において、前記無線タグ読み取り装置は、前記体系的分類情報のバージョン情報を前記統一サーバより取得するバージョン情報取得手段と、前記バージョン情報取得手段で取得したバージョン情報が、既に前記体系情報取得手段で取得した前記体系的分類情報のバージョンよりも新しかった場合には、最新の前記体系的分類情報の送信を前記統一サーバへ要求する体系情報要求手段とを有することを特徴とする。
【００２０】
バージョン情報取得手段によって、現時点での共通データベースでの体系的分類情報のバージョン情報を得ることができる。そして、共通データベースで側の体系的分類情報のバージョンが、無線タグ読み取り装置側の体系的分類情報のバージョンよりも新しかった場合には、体系情報要求手段が最新の体系的分類情報の送信を要求する。これにより、無線タグ読み取り装置側の体系的分類情報を、共通データベース側の体系的分類情報に合わせて最新のバージョンへと確実にアップデートすることができる。
【００２１】
第７発明は、上記第６発明において、前記共通データベースは、前記データ形式としてＸＭＬ形式を用いるＸＭＬデータベースであることを特徴とする。
【００２２】
共通のＸＭＬデータベースでタグＩＤを一括管理することで、所定の規則性に沿って検索可能に分類可能なタグＩＤの構成を確実に実現することができる。また汎用であるＸＭＬ形式を用いることで、システムとしての拡張性、応用性を高めることができる。
【発明の効果】
【００２３】
本発明によれば、タグ識別情報を体系的に分類可能に構築することで、タグ識別情報の構成そのものから記憶データ内容を推定可能とし、利用者の利便性を向上することができる。
【発明を実施するための最良の形態】
【００２４】
以下、本発明の一実施の形態を図面を参照しつつ説明する。
【００２５】
図１は、本実施形態の無線タグ識別情報の管理システムを適用した無線タグ情報システム全体を表すシステム構成図である。
【００２６】
図１に示す無線タグ情報システム１は、情報を記憶する無線タグＴと、この無線タグＴから無線通信により情報の読み取りを行うタグ読み取り機能、無線通信により電話回線に接続して通話や情報の送受信が可能な無線電話機能、及び情報処理が可能な情報処理機能を有する携帯端末（無線タグ読み取り装置）２と、上記無線タグＴを作成する無線タグ作成装置４と、例えば汎用コンピュータで構成されそれぞれ上記無線タグ作成装置４に接続された操作端末３と、ネットワークを介して接続した上記操作端末３に対してそれぞれ個別のアプリケーションで異なる種類のサービスを提供する複数のサービスサーバＳＳと、上記電話回線やネットワークを介して携帯端末２及びサービスサーバＳＳと接続し情報の送受信が可能な１つの統一サーバＳＴとを備えている。
【００２７】
無線タグＴには、その作成時にそれぞれ重複することなく一意的に定義された固有の識別情報（タグ識別情報；以下、タグＩＤという）が書き込まれて記憶しており、上記携帯端末２は、上記タグ読み取り機能により無線タグＴからそのタグＩＤを読み取ることができる。
【００２８】
図２は、上記無線タグ情報システム１のうちの統一サーバＳＴ及び携帯端末２の詳細機能を表す機能ブロック図である。
【００２９】
この図２において、統一サーバＳＴは、インターネットなどの広域ネットワークＮＷを介して複数のサービスサーバＳＳ（図中では１つのみ図示）と中継局１１（携帯端末２と無線通信を行う）に接続されている。また各サービスサーバＳＳは、それぞれの利用形態に合わせてインターネットなどの広域ネットワークＮＷ又はＬＡＮなどの構内ネットワーク（特に図示せず）を介して操作端末３に接続されている。そして、各操作端末３がそれぞれ無線タグ作成装置４に直接接続されている。
【００３０】
統一サーバＳＴは、ＣＰＵ（中央演算装置）１２と、例えばＲＡＭやＲＯＭ等からなるメモリ１３と、システム管理者からの指示や情報が入力される操作部１４と、各種情報やメッセージを表示する表示部１５と、ハードディスク装置からなり無線タグＴのタグＩＤとその無線タグＴの設置対象に係わる情報（＝物品情報や人物情報等；対象物データ）等を登録して記憶する共通データベースとして機能する大容量記憶装置１６と、上記広域ネットワークＮＷを介して携帯端末２（中継局１１経由）やサービスサーバＳＳとの情報信号の授受の制御を行うネットワーク通信制御部１７とを備えている。
【００３１】
統一サーバＳＴのＣＰＵ１２は、ＲＡＭの一時記憶機能を利用しつつＲＯＭに予め記憶されたプログラムに従って信号処理を行い、それによって携帯端末２やサービスサーバＳＳとの間で各種の情報信号の送受を行うようになっている。
【００３２】
携帯端末２は、携帯端末本体２１と、中継局１１を介して広域ネットワークＮＷに対し無線通信を行うための主アンテナ２２と、無線タグＴに対し無線通信を行うためのリーダアンテナ（読み取り装置アンテナ）２３とから構成されている。
【００３３】
携帯端末本体２１は、ＣＰＵ３１と、上記と同様のメモリ３２、操作部３３、及び表示部（種別表示手段）３４と、上記主アンテナ２２を介して通話の音声信号及びデータ信号の送受信を行うデータ送受信部３５と、上記リーダアンテナ２３を介して無線タグＴからタグＩＤの読み取りを行うタグリーダ（情報読み取り手段）３６とを備えている。
【００３４】
なお、上記の携帯端末２は、中継局１１を介した無線電話回線で構成する広域ネットワークＮＷ（インターネット）で統一サーバＳＴと接続する例を示したが、これ以外にも無線ＬＡＮなどを介した広域ネットワークＮＷで接続してもよく、この場合には携帯端末２から通話の音声信号を送受するための電話機能を取り除いてデータ信号のみを送受する情報通信機能に特化させてもよい。
【００３５】
無線タグＴは、タグ側アンテナ（タグアンテナ）１５１とＩＣ回路部１５０とを備える無線タグ回路素子Ｔｏを有しており、この無線タグ回路素子Ｔｏを特に図示しない基材などに設けている（無線タグ回路素子Ｔｏについては後に詳述する）。
【００３６】
図３は、上記無線タグ情報システム１のうちのサービスサーバＳＳ及び無線タグ作成装置４の詳細機能を表す機能ブロック図である。なお、操作端末３については、上述したように一般に市販されている汎用コンピュータで構成されているため、ここで詳しい構成についての説明は省略する。
【００３７】
この図３において、サービスサーバＳＳは、ＣＰＵやメモリを含む制御回路４１と、操作部４２、及び表示部４３と、提供するサービスに適した各種の情報を記憶する記憶装置４７と、上記広域ネットワークＮＷを介して統一サーバＳＴとの間の情報送受の制御を行う上位ネットワーク制御部４５と、広域ネットワークＮＷ又は構内ネットワーク（特に図示せず）を介して操作端末３との間の情報送受の制御を行う下位ネットワーク制御部４６とを備えている。
【００３８】
一方、無線タグ作成装置４は、所定間隔で無線タグ回路素子Ｔｏが備えられたタグテープ（タグ媒体；本来は渦巻き状であるが簡略化して同心円で図示している）２０３を巻回したタグテープロール２０４を着脱可能な（又はタグテープロール２０４を備えたカートリッジを着脱可能な）タグテープロールホルダ部２１０と、このタグテープロール２０４から繰り出されたタグテープ２０３のうち上記無線タグ回路素子Ｔｏに対応した領域に所定の印字を行う印字ヘッド２０５と、無線タグ回路素子Ｔｏとの間で無線通信により情報の送受信を行う装置側アンテナ（作成装置アンテナ）２０６と、高周波回路２０１及び制御回路２０２と、上記操作端末３との間で行われる通信の制御を行う通信制御部２０８と、タグテープ２０３への印字及び無線タグ回路素子Ｔｏへの上記情報書き込みが終了したタグテープ２０３を所定の長さに切断して無線タグＴとするカッタ２０７と、印字ヘッド２０５に対向して設けられ、制御回路２０２により制御されてタグテープロール２０４を搬送する搬送装置２０９とを有する。
【００３９】
高周波回路２０１及び制御回路２０２は、無線タグ回路素子ＴｏのＩＣ回路部１５０へのアクセス情報を生成し、装置側アンテナ２０６を介して無線タグ回路素子Ｔｏへ送信し、無線タグ回路素子ＴｏのＩＣ回路部１５０へ情報書き込み（及び情報読み取り）を行う。また制御回路２０２は上記通信制御部２０８を介して操作端末３と接続されており、この操作端末３と情報の送受が可能となっている。
【００４０】
このような構成において、上記無線タグ作成装置４で無線タグＴを作成する際には、操作者は操作端末３を操作することにより、無線タグＴの表面に印字する印字情報等の設定入力を行うとともに、無線タグＴの作成指示入力を行う。これにより、後述するように、操作端末３は統一サーバＳＴから新規に払い出されたタグＩＤをサービスサーバＳＳを経由して取得する。そして、操作端末３と無線タグ作成装置４の制御回路２０２の制御により、上記設定入力情報に基づいた印字ヘッド２０５による印字が行われるとともに、高周波回路２０１によりアクセス情報が生成され装置側アンテナ２０６を介して無線タグ回路素子Ｔｏへ送信される。これにより、無線タグ回路素子ＴｏのＩＣ回路部１５０へ上記取得したタグＩＤの書き込み（及び情報の読み取り）が行われ、無線タグＴが作成される。
【００４１】
図４は、上記無線タグＴに備えられた無線タグ回路素子Ｔｏの機能的構成の一例を表すブロック図である。
【００４２】
この図４において、無線タグ回路素子Ｔｏは、上述したように携帯端末２のリーダアンテナ２３と非接触で信号の送受信を行う上記タグ側アンテナ１５１と、このタグ側アンテナ１５１に接続された上記ＩＣ回路部１５０とを有している。
【００４３】
ＩＣ回路部１５０は、タグ側アンテナ１５１により受信された質問波を整流する整流部１５２と、この整流部１５２により整流された質問波のエネルギを蓄積し駆動電源とするための電源部１５３と、上記タグ側アンテナ１５１により受信された質問波からクロック信号を抽出して制御部１５７に供給するクロック抽出部１５４と、所定の情報信号を記憶し得るメモリ部１５５と、上記タグ側アンテナ１５１に接続された変復調部１５６と、上記メモリ部１５５、クロック抽出部１５４、及び変復調部１５６等を介して上記無線タグ回路素子Ｔｏの作動を制御するための上記制御部１５７とを備えている。
【００４４】
変復調部１５６は、タグ側アンテナ１５１により受信された上記携帯端末２のリーダアンテナ２３からの質問波の復調を行い、また、上記制御部１５７からの返信信号を変調し、タグ側アンテナ１５１より応答波（タグＩＤを含む信号）として送信する。
【００４５】
クロック抽出部１５４は受信した信号からクロック成分を抽出し、受信した信号のクロック成分の周波数に対応したクロックを制御部１５７に供給する。
【００４６】
制御部１５７は、上記変復調部１５６により復調された受信信号を解釈し、上記メモリ部１５５において記憶された情報信号に基づいて返信信号を生成して上記変復調部１５６により上記タグ側アンテナ１５１から返信する制御等の基本的な制御を実行する。
【００４７】
図５は、無線タグＴの無線タグ回路素子Ｔoに記憶させるタグＩＤのデータ構成の一例を表す図である。
【００４８】
この図５に示す例では、タグＩＤは全長が１２８ビットのデータであり、そのうちの先頭の１６ビットで構成するタグＩＤ第１部分と、その次の１６ビットで構成するタグＩＤ第２部分と、その次の８ビットで構成するタグＩＤ第３部分と、続く残りの８８ビットで構成するタグＩＤ第４部分とが区分けされて設けられている。
【００４９】
タグＩＤ第１部分（第１部分）は、アプリケーション種別に対応する区分であり、この区分に当該タグＩＤを記憶する無線タグＴに関係するサービスサーバＳＳの個別のアプリケーション（提供するサービス）の種別に対応する識別情報が記憶される。
【００５０】
タグＩＤ第２部分（第２部分）は、利用者種別に対応する区分であり、この区分に当該タグＩＤを記憶する無線タグＴを作成する操作端末３（操作端末、利用者）の種別に対応する識別情報が記憶される。
【００５１】
タグＩＤ第３部分（第３部分）は、無線タグＴの設置対象に係わる情報（＝物品情報や人物情報等；対象物データ）の種別、言い換えれば無線タグＴの設置対象（物品や人物等）の種別に対応する区分である。この区分に上記の種別に対応する識別情報が記憶される。
【００５２】
タグＩＤ第４部分は、シリアル番号に対応する区分であり、この区分に上記設置対象についての具体的な固有名称又は物品の個体（ロット）に対応する識別情報が記憶される。
【００５３】
このように、無線タグＴに記録されるタグＩＤは、上記のタグＩＤ第１〜第３部分の内容によって体系的に分類可能に構築され、さらにタグＩＤ第４部分の内容によってより詳細な識別が可能となっている。
【００５４】
次に、本実施形態の統一サーバＳＴの大容量記憶装置１６に記録される各種の情報について説明する。
【００５５】
図６は、上記図５に示したタグＩＤのデータ構造の各部分に対応する各種別情報についてのテーブルを概念的に表す図であり、図６（ａ）はアプリケーション種別テーブル、図６（ｂ）は利用者種別テーブル、及び図６（ｃ）は設置対象種別テーブルのそれぞれの一例を示している。これら各種別情報についてのテーブルは、統一サーバＳＴの大容量記憶装置１６に記録保持される情報であるとともに、後述するように携帯端末２のメモリ３２にも同等の内容で記録される情報である。なお、タグＩＤ及びその各部分を例示する内容は全て１６進数で表記するものであり、以下に示す全ての図示及び説明において同様とする。
【００５６】
図６（ａ）に示すように、アプリケーション種別テーブルには、タグＩＤ第１部分の内容（例えば図示する「００８Ｃ」）に対応して、サービスサーバＳＳが提供するアプリケーション種別の具体的な名称（例えば図示する「図書館蔵書管理」）が記録されている。
【００５７】
また、図６（ｂ）に示すように、利用者種別テーブルには、タグＩＤ第２部分の内容（例えば図示する「０１４２」）に対応して、当該タグＩＤを記憶する無線タグＴを作成する者、つまり操作端末３を有している利用者の具体的な名称（例えば図示する「名古屋図書館」）が記録されている。
【００５８】
また、図６（ｃ）に示すように、対象者種別テーブルには、タグＩＤ第３部分の内容（例えば図示する「２Ｅ」）に対応して、当該タグＩＤを記憶する無線タグＴを貼付（又は対応）させる設置対象の種類（例えば図示する「書籍」）が記録されている。
【００５９】
図７は、未発行タグＩＤリストの一例を概念的に表す図である。この未発行タグＩＤリストも、統一サーバＳＴの大容量記憶装置１６に記録保持される情報である。この未発行タグＩＤリストには、それまでに実際に作成された全ての無線タグＴのいずれにも記録されていないタグＩＤ（タグＩＤのうちで未発行のもの）だけが順に記憶されている。
【００６０】
図示する例では、タグＩＤ第１部分：「００８Ｃ」＝アプリケーション種別：「図書館蔵書管理」、タグＩＤ第２部分：「０１４２」＝利用者種別：「名古屋図書館」、タグＩＤ第３部分：「２Ｅ」＝設置対象種別：「書籍」の組み合わせのうち、タグＩＤ第４部分のシリアル番号が「００〜中略〜００７Ｃ２８Ｅ」以前のタグＩＤは既に発行（実際に無線タグＴに記録）されており、その後のシリアル番号「００〜中略〜００７Ｃ２８Ｆ」以降のタグＩＤが未発行のものとなっている。なお、統一サーバＳＴの大容量記憶装置１６において、この未発行タグＩＤリストを記憶している領域が、各請求項記載のタグ識別情報格納領域を構成している。
【００６１】
図８は、ＸＭＬ形式で記述されたデータについて説明する図であり、設置対象の種別が書籍である場合のデータの一例を示したものである。このデータも、統一サーバＳＴの大容量記憶装置１６に記録保持される情報である。
【００６２】
ここでいわゆるＸＭＬ（Ｅｘｔｅｎｓｉｂｌｅ   Ｍａｒｋｕｐ  Ｌａｎｇｕａｇｅ）とは、文書やデータの意味や構造を記述するためのマークアップ言語の一つであり、図８中に示すように“<”と“>”で囲まれた標識と、“</”と“>”で囲まれた標識との間の「特定文字列」（いわゆるＸＭＬタグ）を基本単位として構造的に記述したものである。
【００６３】
図８において、“<tag id=“008C01422E000000000000000007C28E”>”はタグＩＤ（タグ識別情報）を表しており、この文字列“<tag id=“008C01422E000000000000000007C28E”>”と文字列“</tag>”の間の記述全体が、タグＩＤ=“008C01422E000000000000000007C28E”に対応する内容の１つの登録データ（対象物データ）を構成している。また、そのうちの文字列“<category>”が設置対象種別に対応し、文字列“<application>”がアプリケーション種別に対応し、文字列“<use>”が利用者種別に対応する内容となっている。
【００６４】
統一サーバＳＴの大容量記憶装置１６には、このようにそれまで発行された全てのタグＩＤに対応してＸＭＬ形式で記述されたデータがタグＩＤの順で記録保持されている。このとき前述のようにデータには<tag id=“008C01422E000000000000000007C28E”>”のようにしてタグＩＤ（タグ識別情報）が関連づけられているから、この関連づけ自体が各請求項記載の対応付けを構成し、これら登録データを記憶している領域は対応付け格納領域を構成している。そして、上記のタグ識別情報格納領域（未発行タグＩＤリスト）とこの対応付け格納領域とを合わせた領域が、ＸＭＬデータベースとしての共通データベースを構成している。
【００６５】
また、特に図示しないが、統一サーバＳＴの共通データベースには、タグＩＤのデータ構成のどの部分がどの種別情報に対応するか、各種別情報ごとに何分類が設けられているか、などを示す体系的分類情報も記憶されている。
【００６６】
以下、本実施形態の無線タグ情報システム１において無線タグＴを作成する場合の情報の流れとその処理について詳細に説明する。
【００６７】
図９は、無線タグＴを作成する場合におけるサービスサーバＳＳの周囲の情報の流れとその処理について概念的に説明する図である。この図９に示す例においては、サービスサーバＳＳは図書館や資料室などにおける蔵書の管理サービスを提供する図書館蔵書管理サーバＳＳｔであり、通常の利用では図書館などに備えられた操作端末３が広域ネットワークＮＷを介してこの図書館蔵書管理サーバＳＳｔにアクセスし、希望する条件を満たす蔵書を検索してその詳細な情報を取得する。
【００６８】
また、一方で操作端末３が無線タグ作成装置４を利用して無線タグＴを作成する場合には、その無線タグＴに書き込むタグＩＤをサービスサーバＳＳ（図書館蔵書管理サーバＳＳｔ）を介して統一サーバＳＴから取得するとともに、当該無線タグＴに対応する書籍についての書籍情報（発行年月日、書籍名称、著者、出版社、ページ数、購入年月日等）をサービスサーバＳＳ（図書館蔵書管理サーバＳＳｔ）を介して統一サーバＳＴの共通データベースに登録する。
【００６９】
図９において、名古屋図書館（利用者）が有する操作端末３の使用者が、新しく管理する書籍（設置対象）についての上記書籍情報を登録データとして操作端末３に入力し、またその書籍に貼付する無線タグＴを作成するよう指示する。
【００７０】
これにより、操作端末３は図書館蔵書管理サーバＳＳｔに対して、（設置対象種別が「書籍」であるという内容を含む）上記書籍情報を添付してタグＩＤの発行を要求する。これを受けた図書館蔵書管理サーバＳＳｔは、要求元の操作端末３の種別を利用者種別として認識し、さらに自己のアプリケーションに対応するアプリケーション種別を認識する。そして、統一サーバＳＴに対して、上記書籍情報（設置対象種別＝「書籍」を含む）と、利用者種別（＝「名古屋図書館」）の情報と、アプリケーション種別（＝「図書館蔵書管理」）の情報とを添付してタグＩＤの発行を要求する。
【００７１】
これを受けた統一サーバＳＴは、受信した各種別情報からそれぞれに該当するタグＩＤ第１部分、タグＩＤ第２部分、タグＩＤ第３部分をテーブル（図６（ａ）〜（ｃ））より検索する。そして、それらタグＩＤ第１部分〜第３部分の組み合わせに基づいて、上記図７に示した未発行タグＩＤリストから未発行のタグＩＤを選択して割り当てる（後述の図１０参照）。なお、このときの選択はシリアル番号の昇順で選択するのが望ましい。
【００７２】
そして統一サーバＳＴは、新しく発行したタグＩＤをサービスサーバＳＳを介して操作端末３に送信し、操作端末３はこの受信したタグＩＤを無線タグ回路素子Ｔｏに書き込んで新しく無線タグＴを作成するよう無線タグ作成装置４（特に図示せず）に指示する。なお、統一サーバＳＴが受信した書籍情報は、無線タグ作成装置４において無線タグＴの作成が成功した場合にだけ共通データベースに登録される（これについては後に詳述する）。
【００７３】
以上の例によって新しく発行されたタグＩＤは、図１０に示すように、タグＩＤ第１部分がアプリケーション種別の「図書館蔵書管理」に対応する“008C”（図６（ａ）参照）、タグＩＤ第２部分が利用者種別の「名古屋図書館」に対応する“0142”（図６（ｂ）参照）、タグＩＤ第３部分が設置対象種別の「書籍」に対応する“2E”（図６（ｃ）参照）、タグＩＤ第４部分がシリアル番号の“0…0
7C28E”で構成されている。
【００７４】
なお、上記図９の処理における情報の流れとして、例えば操作端末３がサービスサーバＳＳにタグＩＤの発行を要求する際に自己の種別（利用者種別）を自ら添付して送信してもよいし、またサービスサーバＳＳが統一サーバＳＴにタグＩＤの発行を要求する際に統一サーバＳＴが要求元のサービスサーバＳＳの種別を認識してアプリケーション種別を取得するようにしてもよい。また、操作端末３やサービスサーバＳＳも上記各種別情報のテーブルと体系的分類情報とを記憶している場合には、各機器間で各種別情報をテキスト形式の名称情報（図示する例の「図書館蔵書管理」、「名古屋図書館」、「書籍」）ではなく、ビットデータ形式の情報（図示する例の“008C”，“0142”，“2E”）で送受してもよい。
【００７５】
図１１は、無線タグＴを作成する行程における無線タグ作成装置４、操作端末３、サービスサーバＳＳ、及び統一サーバＳＴの制御動作と応答を表すシーケンス図である。この図１１において、図中上側から下側に向かって時系列変化するものとし、この時系列に関係する無線タグ作成装置４、操作端末３、サービスサーバＳＳ、及び統一サーバＳＴの手順を図示してそれらの時系列の前後関係を説明する。
【００７６】
まず最初に、操作端末３の手順ＣＳ１において、使用者がある設置対象についてその種別も含めた詳細な情報（物品情報や人物情報等；対象物データ）を登録データとして入力し、またその設置対象に貼付する無線タグＴを作成するよう指示する。これにより、次の手順ＣＳ２で、操作端末３はサービスサーバＳＳに対し上記の登録データを添付してタグＩＤの発行を要求する要求信号を送信する（データ出力手段）。
【００７７】
これを受信したサービスサーバＳＳは、手順ＳＳ１で、タグＩＤの要求元の操作端末３の種別（＝利用者種別）を認識する。そして次の手順ＳＳ２で、自己のアプリケーションの種別（＝アプリケーション種別）とともに上記登録データ（設置対象種別を含む）と上記操作端末３の種別とを添付して、統一サーバＳＴに対しタグＩＤの発行を要求する要求信号（割り当て要求信号）を送信する（割り当て要求出力手段）。
【００７８】
これを受信した統一サーバＳＴは、手順ＴＳ１で、受信した各種別情報に対応するタグＩＤ各部分をそれぞれ検索し、それらの組み合わせに基づいて未発行タグＩＤリストから未発行のタグＩＤを選択し、新規のタグＩＤとして割り当て、払い出す（識別情報払い出し手段）。また次の手順ＴＳ２で、上記受信した登録データを新規のタグＩＤに基づいてＸＭＬ形式の記述に変換し、タグＩＤと登録データとが関連づけられた前述の態様で共通データベースに仮登録（仮格納）する。この際の仮登録とは、例えばデータの内容を任意に削除可能なように、揮発性の記憶手段に記録するものである。
【００７９】
次の手順ＴＳ３で、統一サーバＳＴは、上記手順ＴＳ１で割り当てたタグＩＤをサービスサーバＳＳに向けて送信し、これを受けたサービスサーバＳＳは手順ＳＳ３でそのタグＩＤを発行要求元の操作端末３に送信する。これを受信した操作端末３は、手順ＣＳ３でこのタグＩＤを添付して新しく無線タグＴを作成するよう無線タグ作成装置４に指示する指示信号（タグ作成指示信号）を送信する（作成指示出力手段）。
【００８０】
無線タグ作成装置４は、手順ＭＳ１で、受信したタグＩＤをタグテープの無線タグ回路素子Ｔｏに書き込み（情報書き込み手段）、次の手順ＭＳ２でこのタグＩＤの書き込みが成功したか否かを判定する。ここで、一度書き込みが失敗したと判定された場合でも、所定回数の書き込みの再試行とその成否の判定を繰り返し、それらが一度も成功しない場合に無線タグＴの作成に失敗したものとみなして、操作端末３に無線タグ作成失敗応答の信号（作成失敗信号）を送信する（作成結果出力手段）。
【００８１】
この無線タグ作成失敗応答の信号は、操作端末３及びサービスサーバＳＳを経由して統一サーバＳＴまで送信され、手順ＴＳ４でこれを受信した統一サーバＳＴは、上記手順ＴＳ２で共通データベースに仮登録したデータを破棄する（削除処理；共通データベースから実質的に消去する）。また、このとき統一サーバＳＴは、無線タグ作成装置４が記録に失敗したタグＩＤを再利用可能に未発行タグＩＤリストに残しておく。そして、無線タグＴの作成が失敗したものとみなしてこのシーケンスを終了する。
【００８２】
また一方、無線タグ作成装置４が上記手順ＭＳ２でタグＩＤの書き込みに成功（所定回数内での再試行時でも可）したと判定した場合には、次の手順ＭＳ３でタグＩＤを記憶した無線タグＴを完成させ、また同時に操作端末３に無線タグ作成成功応答の信号（作成成功信号）を送信する（作成結果出力手段）。
【００８３】
この無線タグ作成成功応答の信号も、操作端末３及びサービスサーバＳＳを経由して統一サーバＳＴまで送信され、手順ＴＳ５でこれを受信した統一サーバＳＴは、上記手順ＴＳ２で共通データベースに仮登録した登録データを本登録する（確定格納；正しい設定で共通データベースに正式に記録する。例えば不揮発性記憶手段への記録等）。また、このとき統一サーバＳＴは、無線タグ作成装置４が記録に成功したタグＩＤを未発行タグＩＤリストから確実に消去する。そして、無線タグＴの作成が成功したものとしてこのシーケンスを終了する。
【００８４】
なお、上記図１１において、統一サーバＳＴの手順ＴＳ２，ＴＳ４，ＴＳ５が、各請求項記載のデータ格納処理手段として機能する。
【００８５】
以上説明したように、本実施形態においては、無線タグＴの作成時に記憶させるタグＩＤを順次割り当てることを前提に、タグＩＤを統一サーバＳＴの共通データベースで一括管理することにより、タグＩＤ自体を、所定の規則性に沿って体系的に分類可能に構築することができる。これにより、無線タグＴに対し読み取りを行ってタグＩＤを取得した際、共通データベースから当該タグＩＤに対応する登録データを取得しなくても、タグＩＤのデータ構成そのものから、ある程度、登録データの内容を推定可能となる。したがって、無線タグＴへの読み取りに基づく各種の情報処理を行う際、処理手順の簡素化や処理の迅速化を図ることができる。この結果、利用者の利便性を向上することができる。
【００８６】
このとき、この実施形態では特に、ＸＭＬデータベースで構成する共通データベースによりタグＩＤを一括管理している。汎用であるＸＭＬ形式を用いることで、システムとしての拡張性、応用性を高めることができる。
【００８７】
また、本実施形態では特に、無線タグＴの作成が失敗した場合には、仮登録の状態の登録データを破棄する（上記図１１の手順ＴＳ４参照）。これにより、タグＩＤの再利用を図れるとともに、共通データベースにおける記憶領域の無駄な消費を回避することができる。
【００８８】
図１２は、上記のようにして作成された無線タグＴに対し、携帯端末２が読み取りを行うときの例を表した図である。
【００８９】
前述したように、携帯端末２のメモリ３２には、統一サーバＳＴの大容量記憶装置１６に記録保持されているものと同等のアプリケーション種別テーブル、利用者種別テーブル、及び設置対象種別テーブルが予め記憶されている（図６参照。あるいはそれら３つの種別のうち一部だけでもよい）。また、タグＩＤのデータ構成のどの部分がどの種別情報に対応するか、各種別情報ごとに何分類が設けられているか、などを示す体系的分類情報もメモリ３２に記憶されている。このため、発行済みの全ての無線タグＴから読み取ったどのタグＩＤに対しても、そのデータ構成に含まれているタグＩＤ第１〜第３部分のそれぞれに対応する各種別情報（アプリケーション種別、利用者種別、設置対象種別）を当該携帯端末２が単独で取得することができる。
【００９０】
図１２の例は、上記の情報取得を利用することで、使用者の備忘録を作成する例である。すなわち、図１２に示すように、携帯端末２の使用者が複数の無線タグＴからタグＩＤを読み貯めておき、各タグＩＤに含まれる各種別情報を、読み取った時刻順に後でまとめて表示させることで、簡易な備忘録を作成できる。  すなわち、携帯端末２は、それまでに読み貯めたタグＩＤのタグＩＤ第１部分〜第３部分の一部又は全部に基づき、アプリケーション種別、利用者種別、設置対象種別等の一部又は全部を表示部３４に表示する。この表示部３４での表示を確認することで、統一サーバＳＴの共通データベースから当該タグＩＤに対応する登録データを取得せずとも、タグＩＤのデータ構成そのものからある程度、データの内容を推定することができる。言い換えれば、携帯端末２の使用者がそれまでに取った行動の経緯などを確認する備忘録として機能する。そして、携帯端末２の使用者が特に詳しく知りたいと思う無線タグＴについてのみ、統一サーバＳＴから対応する登録データを要求・取得してさらに詳しい情報を表示させることもできる。
【００９１】
なお、図示する例では、各タグＩＤに対してアプリケーション種別、利用者種別、及び設置対象種別の３つの種別情報を表示させているが、これに限られない。すなわち、前述したように、携帯端末２のメモリ３２の容量が小さい場合等には、それに応じて１つ乃至２つの種別情報のみを表示し、それ以外の種別情報に対応するテーブルを省略するようにしてもよい。
【００９２】
なお、以上は、携帯端末２のメモリ３２には、各種別情報にそれぞれ対応するテーブル（図６参照）や、各種別情報がそれぞれタグＩＤのデータ構成のうちのどの部分に対応するかなどを示す体系的分類情報を予め記憶しているものとしていた。しかし、これに限られず、例えば携帯端末２の起動時のたび、又はメモリ３２の内容の消去のたびに、統一サーバＳＴの共通データベースにアクセスして上記の各種別情報テーブルや体系的分類情報を再取得し記憶するようにしてもよい。このようにして、統一サーバＳＴの共通データベース側で定めた各種別情報テーブルやタグＩＤの体系的分類情報に沿って、携帯端末２が無線タグＴから読み取ったタグＩＤのタグＩＤ第１部分〜第３部分等を解析し、表示部３４で表示することができる。この場合、体系的分類情報を取得する制御手順が、各請求項記載の体系情報取得手段として機能する。
【００９３】
また、携帯端末２が定期的に共通データベースにアクセスして、上記の各種別情報テーブルや体系的分類情報のそれぞれの更新状況を示すバージョン情報を取得し、共通データベース側の体系的分類情報のバージョンが、携帯端末２側の体系的分類情報のバージョンよりも新しかった場合には、最新の各種別情報テーブルや体系的分類情報を取得して記憶するようにしてもよい。この場合、バージョン情報を取得する制御手順がバージョン情報取得手段として機能し、最新の体系的分類情報を要求する制御手順が体系情報要求手段として機能する。これにより、携帯端末２側の体系的分類情報を、共通データベース側の体系的分類情報に合わせて最新のバージョンへと確実にアップデートすることができる。
【００９４】
また、タグＩＤのデータ構造の各部分に対応する各種別情報についてのテーブル（図６参照）は、各種別情報でどれも一つずつで用意されたものの組み合わせに限られない。例えば、特に図示しないが、個々のアプリケーション種別にそれぞれ対応する利用者種別テーブルを用意したり、また個々の利用者種別にそれぞれ対応する対象種別テーブルを用意するようにしてもよい。このように樹形図的（ツリー構造的）な構成で各種別情報のテーブルを設けることで、同じビット内容のタグＩＤ第２部分（又はタグＩＤ第３部分）を多重的に利用（例えば同じ“０１４２”のタグＩＤ第２部分を異なる利用者種別テーブルで利用）することができ、つまりより多くのデータを扱うことが可能となる。
【００９５】
また、以上既に述べた以外にも、上記実施形態や各変形例による手法を適宜組み合わせて利用しても良い。
【００９６】
その他、一々例示はしないが、本発明は、その趣旨を逸脱しない範囲内において、種々の変更が加えられて実施されるものである。
【図面の簡単な説明】
【００９７】
【図１】本発明の一実施形態の無線タグ情報システム全体を表すシステム構成図である。
【図２】無線タグ情報システムのうちの統一サーバ及び携帯端末の詳細機能を表す機能ブロック図である。
【図３】無線タグ情報システムのうちのサービスサーバ及び無線タグ作成装置の詳細機能を表す機能ブロック図である。
【図４】無線タグに備えられた無線タグ回路素子の機能的構成の一例を表すブロック図である。
【図５】無線タグの無線タグ回路素子に記憶させるタグＩＤのデータ構成の一例を表す図である。
【図６】タグＩＤのデータ構造の各部分に対応する各種別情報についてのテーブルの例を概念的に表す図である。
【図７】未発行タグＩＤリストの一例を概念的に表す図である。
【図８】ＸＭＬ形式で記述された登録データについて説明する図である。
【図９】無線タグを作成する場合におけるサービスサーバの周囲の情報の流れとその処理について概念的に説明する図である。
【図１０】図９に示したタグＩＤのデータ構造の各部分に対応する各種別情報を説明する図である。
【図１１】無線タグを作成する行程における無線タグ作成装置、操作端末、サービスサーバ、及び統一サーバの制御動作と応答を表すシーケンス図である。
【図１２】携帯端末が読み取りにより備忘録を作成する例を表した図である。
【符号の説明】
【００９８】
１                無線タグ情報システム（無線タグ識別情報の管理システム）
２                携帯端末（無線タグ読み取り装置）
３                操作端末
４                無線タグ作成装置
１６              大容量記憶装置（共通データベース）
２３              リーダアンテナ（読み取り装置アンテナ）
３４              表示部（種別表示手段）
３６              タグリーダ（情報読み取り手段）
２０３            タグテープ（タグ媒体）
２０６            装置側アンテナ（作成装置アンテナ）
１５０            ＩＣ回路部
１５１            タグ側アンテナ（タグアンテナ）
ＳＳ              サービスサーバ
ＳＳｔ            図書館蔵書管理サーバ（サービスサーバ）
ＳＴ              統一サーバ
ＮＷ              広域ネットワーク
Ｔ                無線タグ
Ｔｏ              無線タグ回路素子
【図１】
0004614144.tif 000002
【図２】
0004614144.tif 000003
【図３】
0004614144.tif 000004
【図４】
0004614144.tif 000005
【図５】
0004614144.tif 000006
【図６】
0004614144.tif 000007
【図７】
0004614144.tif 000008
【図８】
0004614144.tif 000009
【図９】
0004614144.tif 000010
【図１０】
0004614144.tif 000011
【図１１】
0004614144.tif 000012
【図１２】
0004614144.tif 000013